(57)【要約】【課題】部品点数の増加を抑えつつ、弾球遊技機の外枠を簡便に組み立てること。【解決手段】弾球遊技機の外枠１は、金属製の上下の横枠部材２、３と、金属製の左右の縦枠部材４、５とを備え、矩形枠状を成すように上下の横枠部材２、３の各端部と左右の縦枠部材４、５の各端部とが４個所接合されて成っている。４個所の接合の構造のうち、少なくとも１個所の接合の構造は、上下の横枠部材２、３の端部が内側に向けて折り曲げられている。この折り曲げられた折り曲げ片と左右の縦枠部材４、５の端部とは、直にビスＢ６、Ｂ７、Ｂ１５、Ｂ１６、Ｂ１７、Ｂ１８で留められている。【選択図】図８
2019017849.tif 000002
【特許請求の範囲】
【請求項１】
金属製の上下の横枠部材と、
金属製の左右の縦枠部材と、を備え、
矩形枠状を成すように前記上下の横枠部材の各端部と前記左右の縦枠部材の各端部とが４個所接合されて成る弾球遊技機の外枠であって、
前記４個所の接合の構造のうち、少なくとも１個所の接合の構造は、
前記上下の横枠部材の端部が内側に向けて折り曲げられており、
前記折り曲げられた折り曲げ片と、前記左右の縦枠部材の端部とが直にビスで留められて成る弾球遊技機の外枠。
【請求項２】
請求項１に記載の弾球遊技機の外枠であって、
前記下の横枠部材には、断面が略Ｌ字状に折り曲げられ、化粧板を取り付けるためのベース部が形成されている弾球遊技機の外枠。
【請求項３】
請求項１〜２のいずれかに記載の弾球遊技機の外枠であって、
前記上下の横枠部材には、木質材が装着されている弾球遊技機の外枠。
【発明の詳細な説明】
【技術分野】
【０００１】
本発明は、弾球遊技機の外枠に関し、詳しくは、上下の横枠部材と、左右の縦枠部材とを備え、矩形枠状を成すように上下の横枠部材の各端部と左右の縦枠部材の各端部とが４個所接合されて成る弾球遊技機の外枠に関する。
【背景技術】
【０００２】
従来、弾球遊技機（例えば、パチンコ機）の外枠において、上下の横枠部材と、左右の縦枠部材とを備え、矩形枠状を成すように上下の横枠部材の各端部と左右の縦枠部材の各端部とが４個所接合されて成るものが既に知られている。ここで、下記特許文献１には、これらの接合を接合金具で実施した技術が開示されている。これにより、上下の横枠部材の各端部と左右の縦枠部材の各端部とを簡便に接合できる。したがって、弾球遊技機の外枠を簡便に組み立てることができる。
【先行技術文献】
【特許文献】
【０００３】
【特許文献１】特開２００６−１４９５４０号公報
【発明の概要】
【発明が解決しようとする課題】
【０００４】
しかしながら、上述した特許文献１の技術では、弾球遊技機の外枠の組み立てにおいて、接合金具が必要であった。したがって、部品点数が増加するといった問題が発生していた。
【０００５】
本発明は、このような課題を解決しようとするもので、その目的は、部品点数の増加を抑えつつ、弾球遊技機の外枠を簡便に組み立てることである。
【課題を解決するための手段】
【０００６】
本発明は、上記の目的を達成するためのものであって、以下のように構成されている。
請求項１に記載の発明は、金属製の上下の横枠部材と、金属製の左右の縦枠部材とを備え、矩形枠状を成すように上下の横枠部材の各端部と左右の縦枠部材の各端部とが４個所接合されて成る弾球遊技機の外枠である。４個所の接合の構造のうち、少なくとも１個所の接合の構造は、上下の横枠部材の端部が内側に向けて折り曲げられている。この折り曲げられた折り曲げ片と左右の縦枠部材の端部とは、直にビスで留められている。
【０００７】
請求項１の発明によれば、従来技術と同様に、弾球遊技機の外枠を簡便に組み立てることができる。なお、この弾球遊技機の外枠は、例えば、その右上コーナと左下コーナと右下コーナにおいて、従来技術とは異なり、接合金具を必要とすることなく組み立てられている。そのため、部品点数の増加を抑えることができる。
【０００８】
また、請求項２に記載の発明は、請求項１に記載の弾球遊技機の外枠であって、下の横枠部材には、断面が略Ｌ字状に折り曲げられ、化粧板を取り付けるためのベース部が形成されている。
【０００９】
請求項２の発明によれば、この下の横枠部材に対して別部材を設けることなく、化粧板を取り付けることができる。
【００１０】
また、請求項３に記載の発明は、請求項１〜２のいずれかに記載の弾球遊技機の外枠であって、上下の横枠部材には、木質材が装着されている。
【００１１】
請求項３の発明によれば、上の木質材によって、外枠をホールの島に固定できる。このことは、下の木質材においても同様である。
【図面の簡単な説明】
【００１２】
【図１】実施例に係る弾球遊技機の外枠の正面図である。
【図２】図１の背面図である。
【図３】図１の平面図である。
【図４】図１の底面図である。
【図５】図１の左側面図である。
【図６】図１の右側面図である。
【図７】図１の斜視図である。
【図８】図７の分解図である。
【図９】図８の下の横枠部材を左右逆から見た斜視図である。
【図１０】図８の左上コーナの拡大図である。
【図１１】図８の右上コーナの拡大図である。
【図１２】図８の左下コーナの拡大図である。
【図１３】図８の右下コーナの拡大図である。
【発明を実施するための形態】
【００１３】
以下、本発明を実施するための形態を、図１〜１３を用いて説明する。なお、以下の説明にあたって、「弾球遊技機」が「パチンコ機」である形態を説明する。まず、本発明の実施例に係るパチンコ機の外枠１を説明する。
【００１４】
パチンコ機の外枠１は、主として、上下に対向に配置された横枠部材２、３と、左右に対向に配置された縦枠部材４、５と、上下に対向に配置された蝶番金具６、７と、上下に対向配置された木質材８、９とから構成されている（図１〜８参照）。以下に、各部材２、３、４、５、６、７、８、９を個別に説明していく。
【００１５】
まず、上の横枠部材２から説明していく（図８、１０〜１１参照）。この上の横枠部材２は、板金によって矩形状に成形された金属製の部材から構成されている。この上の横枠部材２の左の端部には、ビスＢ１とビスＢ２とを螺合可能な第１のビス孔２ａと第２のビス孔２ｂとが形成されている。また、この上の横枠部材２の右の端部には、ビスＢ３を螺合可能な第３のビス孔２ｃが形成されている。
【００１６】
また、この上の横枠部材２には、左右に対を成す長溝２ｄが形成されている。この長溝２ｄは、その下側から後述する木質材８に釘（図示しない）を貫通させ、この貫通させた釘の先端をパチンコ機を設置するホールの島（いずれも図示しない）に設けられた木質材（図示しない）に打ち込むためのものである。これにより、外枠１をホールの島に固定できる。このことは、後述する木質材９においても同様である。
【００１７】
また、この上の横枠部材２の左縁には、下側に向けて折り曲げ成形された第１の左片２０が形成されている。この第１の左片２０には、ビスＢ４を螺合可能なビス孔２０ａが形成されている。また、この上の横枠部材２の左縁には、下側に向けて折り曲げ成形された第２の左片２０ｂが形成されている。この第２の左片２０ｂには、ビスＢ５を螺合可能なビス孔２０ｃが形成されている。
【００１８】
また、この上の横枠部材２の右縁には、下側に向けて折り曲げ成形された第１の右片２１が形成されている。この第１の右片２１には、ビスＢ６を螺合可能なビス孔２１ａが形成されている。また、この上の横枠部材２の右縁には、下側に向けて折り曲げ成形された第２の右片２１ｂが形成されている。この第２の右片２１ｂには、ビスＢ７を螺合可能なビス孔２１ｃが形成されている。また、この上の横枠部材２の前縁には、コ字状に折り曲げ成形された前片２２が形成されている。これにより、この上の横枠部材２の強度を高めることができる。
【００１９】
また、この上の横枠部材２の後縁には、上側に向けて折り曲げ成形された後片２３が形成されている。また、この上の横枠部材２の後縁の右の端部には、下側に向けて折り曲げ成形された補助後片２４が形成されている。この補助後片２４の右縁には、前側に向けて折り曲げ成形された補助右片２５が形成されている。この補助右片２５には、ビスＢ６とビスＢ７とを貫通可能な第１のビス孔２５ａと第２のビス孔２５ｂとが形成されている。
【００２０】
なお、この補助右片２５の第１のビス孔２５ａと第１の右片２１のビス孔２１ａとは、互いの軸心が一致するように形成されている。また、この補助右片２５の第２のビス孔２５ｂと第２の右片２１ｂのビス孔２１ｃとは、互いの軸心が一致するように形成されている。上の横枠部材２は、このように構成されている。
【００２１】
次に、下の横枠部材３を説明する（図８〜９、１２〜１３参照）。この下の横枠部材３は、板金によって矩形状に成形された金属製の部材から構成されている。この下の横枠部材３の左の端部には、ビスＢ１０とビスＢ１１とを螺合可能な第１のビス孔３ａと第２のビス孔３ｂとが形成されている。また、この下の横枠部材３の中央には、ビスＢ１２を螺合可能な第３のビス孔３ｃが形成されている。
【００２２】
また、この下の横枠部材３の右の端部には、ビスＢ１３とビスＢ１４とを螺合可能な第４のビス孔３ｄと第５のビス孔３ｅとが形成されている。また、この下の横枠部材３の左縁には、上側に向けて折り曲げ成形された左片３０が形成されている。この左片３０には、ビスＢ１５とビスＢ１６とを螺合可能な第１のビス孔３０ａと第２のビス孔３０ｂとが形成されている。
【００２３】
また、この左片３０には、左の縦枠部材４の下縁を挟み込み可能なフック３０ｃが形成されている。また、この下の横枠部材３の右縁には、上側に向けて折り曲げ成形された右片３１が形成されている。この右片３１には、ビスＢ１７とビスＢ１８とを螺合可能な第１のビス孔３１ａと第２のビス孔３１ｂとが形成されている。また、この右片３１には、右の縦枠部材５の下縁を挟み込み可能なフック３１ｃが形成されている。
【００２４】
また、この下の横枠部材３の前縁には、上側に向けて（断面が略Ｌ字状に）折り曲げ成形された前片３２が形成されている。この前片３２は、幕板であり、特許請求の範囲に記載の「ベース部」に相当する。これにより、後述する幕板飾り３９を取り付けることができる。この幕板飾り３９が、特許請求の範囲に記載の「化粧板」に相当する。この前片３２の上縁には、後側に向けて折り曲げ成形された上片３５が形成されている。そのため、下の横枠部材３と前片３２と上片３５とにより、断面が略コ字状を成すこととなる。また、この前片３２の左の端部の上縁には、下方に向けてスリット３２ａが形成されている。このスリット３２ａを介した左の端部は、前倒れするように折り曲げ成形された傾斜片３２ｂと成っている。
【００２５】
また、この傾斜片３２ｂの前縁には、後側に向けて折り曲げ成形された座片３８が形成されている。この座片３８には、ビスＢ１９を螺合可能なビス孔３８ａが形成されている。また、この前片３２の左の端部には、ビスＢ２０を貫通可能な第１のビス孔３２ｃが形成されている。また、この前片３２の中央には、ビスＢ２１を貫通可能な第２のビス孔３２ｄが形成されている。
【００２６】
また、この前片３２の右の端部には、ビスＢ２２を貫通可能な第３のビス孔３２ｅが形成されている。また、この前片３２の左縁には、後側に向けて折り曲げ成形された第１の左補助片３３が形成されている。また、この第１の左補助片３３には、ビスＢ２３とビスＢ１５とを螺合可能な第１のビス孔３３ａと第２のビス孔３３ｂとが形成されている。なお、この第１の左補助片３３の第２のビス孔３３ｂと上述した左片３０の第１のビス孔３０ａとは、互いの軸心が一致するように形成されている。
【００２７】
また、この前片３２の右縁には、後側に向けて折り曲げ成形された第１の右補助片３４が形成されている。また、この第１の右補助片３４には、ビスＢ２４とビスＢ１７とを螺合可能な第１のビス孔３４ａと第２のビス孔３４ｂとが形成されている。なお、この第１の右補助片３４の第２のビス孔３４ｂと上述した右片３１の第１のビス孔３１ａとは、互いの軸心が一致するように形成されている。
【００２８】
また、この座片３８の左縁には、下側に向けて折り曲げ成形された第２の左補助片３６が形成されている。また、この第２の左補助片３６には、ビスＢ２３を螺合可能なビス孔３６ａが形成されている。なお、この第２の左補助片３６のビス孔３６ａと上述した第１の左補助片３３の第１のビス孔３３ａとは、互いの軸心が一致するように形成されている。
【００２９】
また、この上片３５の右縁には、下側に向けて折り曲げ成形された第２の右補助片３７が形成されている。また、この第２の右補助片３７には、ビスＢ２４を螺合可能なビス孔３７ａが形成されている。なお、この第２の右補助片３７のビス孔３７ａと上述した第１の右補助片３４の第１のビス孔３４ａとは、互いの軸心が一致するように形成されている。下の横枠部材３は、このように構成されている。
【００３０】
次に、左の縦枠部材４を説明する（図８、１０、１２参照）。この左の縦枠部材４は、アルミの押し出し材によって矩形状に成形された金属製の部材から構成されている。この左の縦枠部材４の上の端部には、ビスＢ４とビスＢ５とを貫通可能な第１のビス孔４０と第２のビス孔４１とが形成されている。また、この左の縦枠部材４の下の端部には、ビスＢ２５とビスＢ１６とを貫通可能な第３のビス孔４２と第４のビス孔４３とが形成されている。
【００３１】
また、この左の縦枠部材４の前縁には、略コ字状のビード４４が形成されている。これにより、左の縦枠部材４の強度を高めることができる。また、このビード４４の下の端部には、ビスＢ２６とビスＢ２３とビスＢ１５とを貫通可能な第１のビス孔４４ａと第２のビス孔４４ｂと第３のビス孔４４ｃとが形成されている。また、この左の縦枠部材４の後縁には、略四角形状のビード４５が形成されている。これにより、左の縦枠部材４の強度を高めることができる。左の縦枠部材４は、このように構成されている。
【００３２】
次に、右の縦枠部材５を説明する（図８、１１、１３参照）。この右の縦枠部材５は、アルミの押し出し材によって矩形状に成形された金属製の部材から構成されている。この右の縦枠部材５の上の端部には、ビスＢ６とビスＢ７とを貫通可能な第１のビス孔５０と第２のビス孔５１とが形成されている。また、この右の縦枠部材５の下の端部には、ビスＢ１８を貫通可能な第３のビス孔５２が形成されている。
【００３３】
また、この右の縦枠部材５の前縁には、略コ字状のビード５３が形成されている。これにより、右の縦枠部材５の強度を高めることができる。また、このビード５３の下の端部には、ビスＢ２４とビスＢ１７とを貫通可能な第１のビス孔５３ａと第２のビス孔５３ｂとが形成されている。また、この右の縦枠部材５の後縁には、略四角形状のビード５４が形成されている。これにより、右の縦枠部材５の強度を高めることができる。右の縦枠部材５は、このように構成されている。
【００３４】
次に、上の蝶番金具６を説明する（図８、１０参照）。この上の蝶番金具６は、板金によってプレート状に成形された金属製の部材から構成されている。この上の蝶番金具６には、ビスＢ１とビスＢ２とを貫通可能な第１のビス孔６ａと第２のビス孔６ｂとが形成されている。また、この上の蝶番金具６には、下側に向けて突出したヒンジピン６ｃが形成されている。これにより、内枠（図示しない）の上の端部をヒンジ結合できる。
【００３５】
また、この上の蝶番金具６の左縁には、下側に向けて折り曲げ成形された左片６０が形成されている。この左片６０には、ビスＢ４を貫通可能なビス孔６０ａが形成されている。また、この上の蝶番金具６の後縁には、下側に向けて折り曲げ成形された後片６１が形成されている。この後片６１の左縁には、前側に向けて折り曲げ成形された補助後片６２が形成されている。この補助後片６２には、ビスＢ５を貫通可能なビス孔６２ａが形成されている。上の蝶番金具６は、このように構成されている。
【００３６】
次に、下の蝶番金具７を説明する（図８、１２参照）。この下の蝶番金具７は、板金によってプレート状に成形された金属製の部材から構成されている。この下の蝶番金具７には、ビスＢ１９を貫通可能なビス孔７ａが形成されている。また、この下の蝶番金具７には、上側に向けて突出したヒンジピン７ｂが形成されている。これにより、内枠（図示しない）の下の端部をヒンジ結合できる。
【００３７】
また、この下の蝶番金具７の左縁には、上側に向けて折り曲げ成形された左片７０が形成されている。この左片７０には、ビスＢ２６とビスＢ２５とを螺合可能な第１のビス孔７０ａと第２のビス孔７０ｂとが形成されている。下の蝶番金具７は、このように構成されている。
【００３８】
次に、上の木質材８を説明する（図８、１０〜１１参照）。この上の木質材８は、矩形状に成形された木材から構成されている。この上の木質材８の左の端部には、凹みを有する段差部８０が形成されている。この凹み深さは、上述した上の蝶番金具６の厚みと一致するように形成されている。これにより、組み立てられたパチンコ機の外枠１において、上面（上の蝶番金具６の上面と木質材８の上面）を面一にできる。
【００３９】
この段差部８０には、ビスＢ２を貫通可能なビス孔８０ａが形成されている。また、この上の木質材８の右の端部には、ビスＢ３を貫通可能なビス孔８１が形成されている。なお、この木質材８の前後長は、上の横枠部材２の前後長と一致するように形成されている。上の木質材８は、このように構成されている。
【００４０】
最後に、下の木質材９を説明する（図８参照）。この下の木質材９は、矩形状に成形された木材から構成されている。この下の木質材９の左の端部には、ビスＢ１０とビスＢ１１とを貫通可能なビス孔９０とビス孔９１とが形成されている。また、この下の木質材９の中央には、ビスＢ１２を貫通可能なビス孔９２が形成されている。また、この下の木質材９の右の端部には、ビスＢ１３とビスＢ１４とを貫通可能なビス孔９３とビス孔９４とが形成されている。下の木質材９は、このように構成されている。
【００４１】
続いて、図８に示す状態から、上下に対向に配置された横枠部材２、３と、左右に対向に配置された縦枠部材４、５と、上下に対向に配置された蝶番金具６、７と、上下に対向配置された木質材８、９とからパチンコ機の外枠１を組み立てる手順の一例を説明する。
【００４２】
まず、上の横枠部材２の第２の左片２０ｂを左の縦枠部材４のビード４５の中空部４５ａに挿し込む作業（第１の作業）を行う（図１０参照）。次に、上の横枠部材２の右片２１と補助右片２５との間に右の縦枠部材５の上の端部を挟み込むと共に、上の横枠部材２の第２の右片２１ｂを右の縦枠部材５のビード５４の中空部５４ａに挿し込む作業（第２の作業）を行う（図１１参照）。次に、下の横枠部材３の左片３０のフック３０ｃに左の縦枠部材４の下の端部を挟み込む作業（第３の作業）を行う（図１２参照）。次に、下の横枠部材３の右片３１のフック３１ｃに右の縦枠部材５の下の端部を挟み込む作業（第４の作業）を行う（図１３参照）。
【００４３】
これにより、上下に対向に配置された横枠部材２、３と、左右に対向に配置された縦枠部材４、５とが矩形枠状を成すように仮組み状態となる。次に、上の横枠部材２の上面２ｅに木質材８を取り付ける作業（第５の作業）を行う（図１０参照）。次に、上の蝶番金具６の第１のビス孔６ａにビスＢ１を挿し込み、この挿し込んだビスＢ１を上の横枠部材３の第１のビス孔２ａに螺合させる作業（第６の作業）を行う。
【００４４】
次に、上の蝶番金具６の第２のビス孔６ｂと木質材８のビス孔８０ａとにビスＢ２を挿し込み、この挿し込んだビスＢ２を上の横枠部材２の第２のビス孔２ｂに螺合させる作業（第７の作業）を行う。次に、木質材８のビス孔８１にビスＢ３を挿し込み、この挿し込んだビスＢ３を上の横枠部材２の第３のビス孔２ｃに螺合させる作業（第８の作業）を行う（図１１参照）。これら第７〜８の作業により、上の横枠部材２に上の木質材８を装着できる。
【００４５】
次に、上の蝶番金具６の左片６０のビス孔６０ａと左の縦枠部材４の第１のビス孔４０とにビスＢ４を挿し込み、この挿し込んだビスＢ４を上の横枠部材２の左片２０の第１のビス孔２０ａに螺合させる作業（第９の作業）を行う（図１０参照）。次に、上の蝶番金具６の補助後片６２のビス孔６２ａと左の縦枠部材４の第２のビス孔４１とにビスＢ５を挿し込み、この挿し込んだビスＢ５を上の横枠部材２の第２の左片２０ｂのビス孔２０ｃに螺合させる作業（第１０の作業）を行う。
【００４６】
次に、上の横枠部材２の補助右片２５の第１のビス孔２５ａと右の縦枠部材５の第１のビス孔５０とにビスＢ６を挿し込み、この挿し込んだビスＢ６を上の横枠部材２の第１の右片２１のビス孔２１ａに螺合させる作業（第１１の作業）を行う（図１１参照）。次に、上の横枠部材２の補助右片２５の第２のビス孔２５ｂと右の縦枠部材５の第２のビス孔５１とにビスＢ７を挿し込み、この挿し込んだビスＢ７を上の横枠部材２の第２の右片２１ｂのビス孔２１ｃに螺合させる作業（第１２の作業）を行う。
【００４７】
次に、下の木質材９の第１のビス孔９０にビスＢ１０を挿し込み、この挿し込んだビスＢ１０を下の横枠部材３の第１のビス孔３ａに螺合させる作業（第１３の作業）を行う（図８参照）。次に、下の木質材９の第２のビス孔９１にビスＢ１１を挿し込み、この挿し込んだビスＢ１１を下の横枠部材３の第２のビス孔３ｂに螺合させる作業（第１４の作業）を行う。
【００４８】
次に、下の木質材９の第３のビス孔９２にビスＢ１２を挿し込み、この挿し込んだビスＢ１２を下の横枠部材３の第３のビス孔３ｃに螺合させる作業（第１５の作業）を行う。次に、下の木質材９の第４のビス孔９３にビスＢ１３を挿し込み、この挿し込んだビスＢ１３を下の横枠部材３の第４のビス孔３ｄに螺合させる作業（第１６の作業）を行う。次に、下の木質材９の第５のビス孔９４にビスＢ１４を挿し込み、この挿し込んだビスＢ１４を下の横枠部材３の第５のビス孔３ｅに螺合させる作業（第１７の作業）を行う。これら第１３〜１７の作業により、下の横枠部材３に下の木質材９を装着できる。
【００４９】
次に、左の縦枠部材４のビード４４の第３のビス孔４４ｃと下の横枠部材３の左片３０の第１のビス孔３０ａとにビスＢ１５を挿し込み、この挿し込んだビスＢ１５を下の横枠部材３の第１の左補助片３３の第２のビス孔３３ｂに螺合させる作業（第１８の作業）を行う（図１２参照）。次に、左の縦枠部材４の第４のビス孔４３にビスＢ１６を挿し込み、この挿し込んだビスＢ１６を下の横枠部材３の左片３０の第２のビス孔３０ｂに螺合させる作業（第１９の作業）を行う。
【００５０】
次に、右の縦枠部材５のビード５３の第２のビス孔５３ｂと下の横枠部材３の右片３１の第１のビス孔３１ａとにビスＢ１７を挿し込み、この挿し込んだビスＢ１７を下の横枠部材３の第１の右補助片３４の第２のビス孔３４ｂに螺合させる作業（第２０の作業）を行う（図１３参照）。次に、右の縦枠部材５の第３のビス孔５２にビスＢ１８を挿し込み、この挿し込んだビスＢ１８を下の横枠部材３の右片３１の第２のビス孔３１ｂに螺合させる作業（第２１の作業）を行う。
【００５１】
次に、下の蝶番金具７のビス孔７ａにビスＢ１９を挿し込み、この挿し込んだビスＢ１９を下の横枠部材３の座片３８のビス孔３８ａに螺合させる作業（第２２の作業）を行う（図１２参照）。次に、下の横枠部材３の前片３２の第１のビス孔３２ｃにビスＢ２０を挿し込み、この挿し込んだビスＢ２０を幕板飾り３９の第１のビス孔（図示しない）に螺合させる作業（第２３の作業）を行う。次に、下の横枠部材３の前片３２の第２のビス孔３２ｄにビスＢ２１を挿し込み、この挿し込んだビスＢ２１を幕板飾り３９の第２のビス孔（図示しない）に螺合させる作業（第２４の作業）を行う（図８参照）。
【００５２】
次に、下の横枠部材３の前片３２の第３のビス孔３２ｅにビスＢ２２を挿し込み、この挿し込んだビスＢ２２を幕板飾り３９の第３のビス孔（図示しない）に螺合させる作業（第２５の作業）を行う（図１３参照）。次に、左の縦枠部材４のビード４４の第２のビス孔４４ｂと下の横枠部材３の第２の左補助片３６のビス孔３６ａとにビスＢ２３を挿し込み、この挿し込んだビスＢ２３を下の横枠部材３の第１の左補助片３３の第１のビス孔３３ａに螺合させる作業（第２６の作業）を行う（図１２参照）。
【００５３】
次に、右の縦枠部材５のビード５３の第１のビス孔５３ａと下の横枠部材３の第２の右補助片３７のビス孔３７ａとにビスＢ２４を挿し込み、この挿し込んだビスＢ２４を下の横枠部材３の第１の右補助片３４の第１のビス孔３４ａに螺合させる作業（第２７の作業）を行う（図１３参照）。次に、左の縦枠部材４の第３のビス孔４２にビスＢ２５を挿し込み、この挿し込んだビスＢ２５を下の蝶番金具７の左片７０の第２のビス孔７０ｂに螺合させる作業（第２８の作業）を行う（図１２参照）。
【００５４】
最後に、左の縦枠部材４のビード４４の第１のビス孔４４ａにビスＢ２６を挿し込み、この挿し込んだビスＢ２６を下の蝶番金具７の左片７０の第１のビス孔７０ａに螺合させる作業（第２９の作業）を行う。これら一連の作業によって、パチンコ機の外枠１が組み立てられる（図７参照）。パチンコ機の外枠１は、このようにして組み立てられる。
【００５５】
本発明の実施例に係るパチンコ機の外枠１は、上述したように構成されている。この構成によれば、複数のビスＢ１〜２６によってパチンコ機の外枠１を組み立てることができる。そのため、従来技術と同様に、パチンコ機の外枠１を簡便に組み立てることができる。なお、このパチンコ機の外枠１は、その右上コーナと左下コーナと右下コーナにおいて、従来技術とは異なり、接合金具を必要とすることなく組み立てられている。そのため、部品点数の増加を抑えることができる。
【００５６】
また、この構成によれば、下の横枠部材３の前縁には、上側に向けて（断面が略Ｌ字状に）折り曲げ成形された前片３２が形成されている。この前片３２には、幕板飾り３９を取り付けることができる。したがって、この下の横枠部材３に対して別部材を設けることなく、幕板飾り３９を取り付けることができる。
【００５７】
また、この構成によれば、上下の横枠部材２、３には、上下の木質材８、９が装着されている。そのため、この上の木質材８によって、外枠１をホールの島に固定できる。このことは、木質材９においても同様である。
【００５８】
上述した内容は、あくまでも本発明の一実施の形態に関するものであって、本発明が上記内容に限定されることを意味するものではない。
【００５９】
実施例で説明したパチンコ機の外枠１の組み立ての手順は、これに限定されるものでなく、作業の順番を入れ替えたり、同時に実施しても構わない。これらは、設計的な事項である。
【００６０】
また、実施例では、パチンコ機の外枠１は、その右上コーナと左下コーナと右下コーナにおいて、従来技術とは異なり、接合金具を必要とすることなく組み立てられている形態を説明した。しかし、これに限定されるものでなく、パチンコ機の外枠１は、その４コーナ（左上コーナ、右上コーナ、左下コーナ、右下コーナ）のうち、少なくとも１か所のコーナが接合金具を必要としていない構成であれば構わない。
【００６１】
また、実施例では、上下の横枠部材２、３は、板金によって矩形状に成形された金属製の部材から構成されている形態を説明した。また、左右の縦枠部材４、５は、アルミの押し出し材によって矩形状に成形された金属製の部材から構成されている形態を説明した。しかし、これに限定されるものでなく、上下の横枠部材２、３は、アルミの押し出し材によって矩形状に成形された金属製の部材から構成されている形態でも構わない。また、左右の縦枠部材４、５は、板金によって矩形状に成形された金属製の部材から構成されている形態でも構わない。もちろん、上下の横枠部材２、３と左右の縦枠部材４、５の全てがアルミの押し出し材によって矩形状に成形された金属製の部材から構成されている形態でも構わない。また、上下の横枠部材２、３と左右の縦枠部材４、５の全てが板金によって矩形状に成形された金属製の部材から構成されている形態でも構わない。
【００６２】
なお、上述したパチンコ機の外枠１において、上の横枠部材２から上の木質材８のみを取り外すことができる。その場合、螺合したビスＢ２、Ｂ３を取り外して上の木質材８を右側に向けてスライドさせればよい。また、逆の手順で、取り外した上の木質材８を、再度、上の横枠部材３に装着できる。そのため、パチンコ機１の外枠１の接合を外すことなく、木質材８のみを簡便に交換できる。したがって、古くなった木質材８を簡便に新しい木質材８に取り換えることができる。このことは、下の木質材９においても同様である。
【符号の説明】
【００６３】
１      外枠
２      上の横枠部材
３      下の横枠部材
４      左の縦枠部材
５      右の縦枠部材
２１    第１の右片
２１ｂ  第２の右片
３０    左片
３１    右片
Ｂ６    ビス
Ｂ７    ビス
Ｂ１５  ビス
Ｂ１６  ビス
Ｂ１７  ビス
Ｂ１８  ビス
【図１】
2019017849.tif 000003
【図２】
2019017849.tif 000004
【図３】
2019017849.tif 000005
【図４】
2019017849.tif 000006
【図５】
2019017849.tif 000007
【図６】
2019017849.tif 000008
【図７】
2019017849.tif 000009
【図８】
2019017849.tif 000010
【図９】
2019017849.tif 000011
【図１０】
2019017849.tif 000012
【図１１】
2019017849.tif 000013
【図１２】
2019017849.tif 000014
【図１３】
2019017849.tif 000015